(57)【要約】      （修正有）【課題】簡単な構造で容易にロフト角を設定可能なゴルフクラブを提供する。【解決手段】打球面としてフェース面２が形成されたクラブヘッド３と、このクラブヘッド３に接続されたシャフト４とを備えたゴルフクラブ１であって、クラブヘッド３を一方向としてロフト角θが増加する方向に回転可能に備えるとともに、ロフト角θが増加する方向の反対方向としてロフト角θが減少する方向への回転を規制し、さらにクラブヘッド３を所定回転角度としてピッチ角度α（０度＜α≦１０度、好ましくは０＜α≦５度）毎の回転位置に保持し、クラブヘッド３のロフト角θを設定可能にするロフト角設定手段５を備えたことにより、ロフト角θを設定する構成を簡単なものとし、しかも簡単な操作により任意のロフト角θに設定可能なゴルフクラブを提供することができる。【選択図】図２
0003146393.tif 000002
【実用新案登録請求の範囲】
【請求項１】
打球面が形成されたクラブヘッドと、このクラブヘッドに接続されたシャフト部材とを備えたゴルフクラブであって、前記クラブヘッドを一方向に回転可能に備えるとともに、前記一方向の反対方向への回転を規制し、さらに前記クラブヘッドを所定回転角度毎の回転位置に保持し、前記クラブヘッドのロフト角を設定可能にするロフト角設定手段を備えたことを特徴とするゴルフクラブ。
【請求項２】
前記ロフト角設定手段は、歯の間隔を前記回転角度に設けられ、前記クラブヘッドと共に回転可能に設けられた歯車部材と、前記クラブヘッドの反対方向への回転時に前記歯車部材と係合して、前記反対方向への回転を規制する規制手段とを有するラチェット機構を備えたことを特徴とする請求項１記載のゴルフクラブ。
【請求項３】
前記一方向を、前記ロフト角の増加する方向としたことを特徴とする請求項１又は２に記載ゴルフクラブ。
【請求項４】
前記ロフト角設定手段は、前記回転角度毎に前記ロフト角を複数段階以上に設定可能に設けたことを特徴とする請求項１〜３のいずれか１項に記載のゴルフクラブ。
【考案の詳細な説明】
【技術分野】
【０００１】
本考案はロフト角を任意に設定可能なゴルフクラブに関する。
【背景技術】
【０００２】
従来のゴルフクラブでは、クラブヘッドのロフト角は固定されて形成されているため、ゴルフボールを打つ状況ごとに、使用者は相互に異なるロフト角に形成された複数本のゴルフクラブのセットの中から最適なロフト角を有するゴルフクラブを選択しなければならず、これら複数本のゴルフクラブのセットをプレー中運び回らなければならず、持ち運びに困難を要するとともに、前記ゴルフクラブのセットの中から用途に合わせてゴルフクラブを選び出すという作業にも煩わしさが生じていた。このような問題点を解消するために、ロフト角を変更可能なゴルフクラブがある（特許文献１）。
【０００３】
特許文献１のゴルフクラブは、ヘッド本体のホーゼルに上端が開口し、且つ、底面がソールのヒールよりに位置する挿入穴を有するゴルフクラブヘッドと当該挿入穴にシャフトと共に挿入される角度調整パーツとこれを固定するボルトから構成されたものである。
【特許文献１】特開２００４-２４２９３号公報
【考案の開示】
【考案が解決しようとする課題】
【０００４】
しかし、特許文献１のゴルフクラブでは、ゴルファーの体型や好みに応じてライ角、ロフト角等を調節することができるとあるが、熱軟化性接着剤を介してシャフト先端部を嵌入させた、あらかじめ角度を調節した角度調節パーツをヘッドの挿入孔に挿入後、角度調節パーツをネジで固定するため、ゴルフ場でその場の状況に応じてロフト角を容易に変更できるものではなかった。
【０００５】
そこで、本考案は上記問題点を解消するため、簡単な構造で容易にロフト角を設定可能なゴルフクラブを提供することを目的とする。
【課題を解決するための手段】
【０００６】
請求項１記載の本考案は、打球面が形成されたクラブヘッドと、このクラブヘッドに接続されたシャフト部材とを備えたゴルフクラブであって、前記クラブヘッドを一方向に回転可能に備えるとともに、前記一方向の反対方向への回転を規制し、さらに前記クラブヘッドを所定回転角度毎の回転位置に保持し、前記クラブヘッドのロフト角を設定可能にするロフト角設定手段を備えたことを特徴とする。
【０００７】
請求項２記載の本考案は、前記ロフト角設定手段は、歯の間隔を前記回転角度に設けられ、前記クラブヘッドと共に回転可能に設けられた歯車部材と、前記クラブヘッドの反対方向への回転時に前記歯車部材と係合して、前記反対方向への回転を規制する規制手段とを有するラチェット機構を備えたことを特徴とする。
【０００８】
請求項３記載の本考案は、前記一方向を、前記ロフト角の増加する方向としたことを特徴とする。
【０００９】
請求項４記載の本考案は、前記ロフト角設定手段は、前記回転角度毎に前記ロフト角を複数段階以上に設定可能に設けたことを特徴とする。
【考案の効果】
【００１０】
請求項１の考案によれば、ロフト角を設定する構成を簡単なものとして、しかも簡単な操作により任意のロフト角に設定可能なゴルフクラブを提供することができる。
【００１１】
請求項２の考案によれば、ロフト角設定手段に、ヘッドクラブと共に回転する歯車部材と、この歯車部材に係合可能とし、歯車部材の反対方向への回転を規制する規制部材とを有するラチェット機構を備えたことにより、ロフト角を設定する機構を簡単なものとして、部品点数の削減による製造コストの削減を図ることができる。
【００１２】
請求項３の考案によれば、ロフト角設定時のクラブヘッドの回転方向を、ロフト角の増加する方向とすることにより、打球時にゴルフボールから受ける力によりクラブヘッドにはロフト角の減少する方向に力が作用するが、ロフト角設定手段ではクラブヘッドのロフト角が減少しようとする方向への回転を規制しているため、前記ゴルフボールから受ける力からクラブヘッドが回転することを防ぎ、打球時のロフト角を保持可能とすることができる。
【００１３】
請求項４の考案によれば、ロフト角設定手段における回転角度を１０度以内として、ロフト角を複数段階以上に設定可能とすることで、例えばロフト角の小さい順に２番アイアン〜９番アイアン,ＰＷ（ピッチング・ウェッジ）,ＳＷ（サンド・ウェッジ）を揃えた通常のアイアン型のゴルフクラブセットにおいて異なるロフト角を備えた連続する番手からなるゴルフクラブ複数本分以上の機能を、本考案のゴルフクラブ１本に備えることが可能となる。
【実施例１】
【００１４】
以下、本考案のゴルフクラブ１の実施形態について、図１〜図３を参照しながら説明する。本考案のゴルフクラブ１は、打撃面としてフェース面２を備えたクラブヘッド３と、このクラブヘッド３が接続されたシャフト４とを有する構成としている。前記クラブヘッド３のフェース面２には任意のスコアライン（図示せず）が形成されている。また、シャフト４におけるクラブヘッド３との接続側と反対側には図示しない握り部（グリップ）が設けられている。
【００１５】
ここで、クラブヘッド３とシャフト４の連結部分には、ロフト角設定手段５が設けられている。
【００１６】
図２に示すようにロフト角設定手段５は、例えば歯６の間隔を所定のピッチ角度αに設けられると共に、クラブヘッド３と第１の回転軸７によって接続されて、クラブヘッド３と共に回転可能に設けられた歯車又はラック等の歯車部材８と、前記歯車部材８の周囲に第２の回転軸９によって揺動自在に設けられた係止爪１０とを有するラチェット機構１１を備えている。このラチェット機構１１では、歯車部材８がクラブヘッド３のロフト角θが増加する方向（図２においては、反時計回り方向）にピッチ角度α１つ回転するごとに歯車部材８の歯６に係止爪１０が係合可能に設けられ、歯車部材８のロフト角θが減少する方向（図２においては、時計回り方向）へ歯車部材８が逆回転した場合には、係止爪１０が歯車部材８の歯６と係合して歯車部材８の逆回転（図２においては、時計回り方向の回転）を規制可能に設けられている。
【００１７】
また、このロフト角設定手段５は、クラブヘッド３のロフト角θが増加する方向（図２においては、反時計回り方向）への回転については規制されておらず、クラブヘッド３をロフト角θが増加する方向（図２においては、反時計回り方向）へ回転させ続けて一回転以上させることを可能に構成されている。
【００１８】
さらにロフト角設定手段５の回転角度としてのピッチ角度αは、例えばロフト角θの小さい順に２番アイアン〜９番アイアン,ＰＷ（ピッチング・ウェッジ）,ＳＷ（サンド・ウェッジ）を揃えた通常のアイアン型のゴルフクラブセットにおいて、これらゴルフクラブ１のロフト角θは、０〜９０度の範囲内で上記クラブセットの順に１８,２１,２４,２７,３１,３５,３９,４３,４８,５６（いずれも単位は度）となっており、つまり隣接する番手同士のロフト角θの差は約１０度以内となっているので、このようなゴルフクラブセットに対応してピッチ角度αを、０度＜α≦１０度、好ましくは０＜α≦５度と設定しても良い。またゴルフクラブセットにおける各番手のロフト角θは上記に限定されるものではない。
【００１９】
また、ロフト角θが前述の通常のゴルフクラブセットの各番手のロフト角と略同一となるように、例えばロフト角θが４番アイアンのロフト角θに相当する２４度に設定された場合に、クラブヘッド３をピッチ角度α一回分だけ回転させて５番アイアンのロフト角θに相当する２７度に設定するために、現在のロフト角θが２４度の場合の次のピッチ角度αを４度に設定して、クラブヘッド３が各番手のロフト角θと略同一のところで回転が停止し、上記各番手のロフト角θと略同一に設定されるように、ピッチ角度αを連続又は不連続な任意の角度に設定してもよい。
【００２０】
次に上記構成のゴルフクラブ１の作用を説明する。本実施例のゴルフクラブ１では、グリーンまでの残り距離やゴルフボールの置かれている状況に応じて、使用者がロフト角設定手段５によりクラブヘッド３のロフト角θを設定してプレーを行うものである。
【００２１】
ロフト角設定手段５を介してのロフト角θの設定では、クラブヘッド３をピッチ角度αごとに段階的に回転させて任意のロフト角θとなったところでクラブヘッド３をその回転位置に保持して、ロフト角θの設定を行う。
【００２２】
ここで、クラブヘッド３はロフト角設定手段５によってロフト角θが減少する方向（図２及び３においては、時計回り方向）へは回動不能に設けられているため、現在のロフト角θより角度の小さいロフト角θへと設定の変更を行う場合には、ロフト角θが最大９０度となるまでクラブヘッド３を回転させていき、さらにそのままロフト角θが増加する方向（図２及び３においては、反時計回り方向）へと回転させてロフト角θを０度まで戻した上で、もう一度クラブヘッド３をロフト角θが増加する方向（図２及び３においては、反時計回り方向）へと回転させて、ロフト角θの設定を行う。
【００２３】
また、図３に基づいて本実施例のゴルフクラブ１でゴルフボールＢを打った場合の作用について説明する。図中右向きを打球方向としてゴルフクラブ１でゴルフボールＢを打球した場合に、打球時にフェース面２とゴルフボールＢとの摩擦により打ち出されるゴルフボールＢには、反時計方向に力Ｆ１が作用してバックスピンがかかるのに対して、このゴルフボールＢとの摩擦による縦方向のギヤ効果によりクラブヘッド３にはロフト角θが減少する方向（図２及び３においては、時計回り方向）へ回転させようとする力Ｆ２が作用するが、ロフト角θが減少する方向（図２及び３においては、時計回り方向）へのクラブヘッド３の回転はロフト角設定手段５により規制されているため、打球時のロフト角θは保持される。
【００２４】
このように、ラチェット機構１１を備えたロフト角設定手段５を介してクラブヘッド３のロフト角θの設定を行うことにより、ピッチ角度αごとに段階的に回転可能に備えたクラブヘッド３を所定のロフト角θとなったところで回転を止めるだけで、容易にロフト角θの設定が行えるので、操作性が向上し、またラチェット機構１１によりロフト角θが減少する方向（図２及び３においては、時計回り方向）への逆回転も規制されるため、新たにクラブヘッド３の逆回転防止用の固定手段を備える必要もなく、ゴルフクラブ１の構成をコンパクトにするとともに部品点数の削減による製造コストの削減を図ることができる。
【００２５】
上記実施例は請求項１に対応しており、打球面としてフェース面２が形成されたクラブヘッド３と、このクラブヘッド３に接続されたシャフト４とを備えたゴルフクラブ１であって、クラブヘッド３を一方向としてロフト角θが増加する方向に回転可能に備えるとともに、ロフト角θが増加する方向の反対方向としてロフト角θが減少する方向への回転を規制し、さらにクラブヘッド３を所定回転角度としてピッチ角度α（０度＜α≦１０度、好ましくは０＜α≦５度）毎の回転位置に保持し、クラブヘッド３のロフト角θを設定可能にするロフト角設定手段５を備えている。
【００２６】
この場合、ロフト角設定手段５の構成を歯車部材８及び係止爪１０等からなるラチェット機構１１とすることによりロフト角θを設定する構成を簡単なものとして、しかもロフト角設定手段５によりクラブヘッド３を回転させるだけの簡単な操作により任意のロフト角θに設定可能なゴルフクラブ１を提供することができる。
【００２７】
また請求項２に対応しており、ロフト角設定手段は、歯６の間隔を回転角度としてのピッチ角度αに設けられ、クラブヘッド３と共に回転可能に設けられた歯車部材８と、クラブヘッド３のロフト角θが増加する方向とは反対方向たるロフト角θが減少する方向への回転時に歯車部材８と係合して、ロフト角θが減少する方向への回転を規制する規制手段としての係止爪１０とを有するラチェット機構１１を備えている。
【００２８】
この場合、ロフト角θを設定する機構を簡単なものとして、部品点数の削減による製造コストの削減を図ることができる。
【００２９】
さらに請求項３に対応しており、ロフト角設定手段５におけるクラブヘッド３の回転方向としての一方向を、ロフト角θの増加する方向（図２及び３においては反時計回り方向）としたことにより、打球時にゴルフボールＢから受ける力Ｆ１によりクラブヘッド３にはロフト角θの減少する方向に力Ｆ２が作用するが、ロフト角設定手段５ではクラブヘッド３のロフト角θが減少しようとする方向（図２及び３においては時計回り方向）への回転を規制しているため、ゴルフボールＢから受ける力Ｆ１によりクラブヘッド３が回転することを防ぎ、打球時のロフト角θを保持可能とすることができる。
【００３０】
また請求項４に対応しており、ロフト角設定手段５は、回転角度としてピッチ角度α（０度＜α≦１０度、好ましくは０＜α≦５度）毎にロフト角θを複数段階以上に設定可能に設けている。
【００３１】
この場合、ロフト角設定手段５におけるピッチ角度αを０度＜α≦１０度、好ましくは０＜α≦５度として、ロフト角θの設定を例えば３段階以上の複数の段階に設定可能とすることで、例えばロフト角θの小さい順に２番アイアン〜９番アイアン,ＰＷ（ピッチング・ウェッジ）,ＳＷ（サンド・ウェッジ）を揃えた通常のアイアン型のゴルフクラブセットにおいて異なるロフト角θを備えた連続する３つの番手からなるゴルフクラブ３本分以上の機能を、本考案のゴルフクラブ１本に備えることが可能となる。
【００３２】
なお、本考案は上記実施例に限定されるものではなく、種々の変形実施が可能である。例えば、本実施例ではアイアン型のゴルフクラブを例に説明を行ったが、本考案のゴルフクラブは、ドライバーやフェアウェイウッド等のウッド型のゴルフクラブや、パター等にも適用可能である。また、ロフト角設定手段５によるロフト角θ設定後のクラブヘッド３側とシャフト４側を固定する、例えば螺子部材等からなるロフト角固定手段を備えてもよい。この場合、ロフト角θの固定が確実なものとなるので、ゴルフクラブ１の信頼性が向上する。さらに、クラブヘッド３のロフト角θを表示する目盛り等の表示部をロフト角設定手段５、クラブヘッド３側、又は、シャフト４側に設けることにより、ロフト角θの設定又は確認が容易になる。
【図面の簡単な説明】
【００３３】
【図１】本考案の実施形態を示すゴルフクラブの正面図である。
【図２】同上、ゴルフクラブの側面側断面図である。
【図３】同上、打球時のゴルフクラブとゴルフボールとを示すゴルフクラブの側面図である。
【符号の説明】
【００３４】
１  ゴルフクラブ
２  フェース面（打球面）
３  クラブヘッド
４  シャフト
５  ロフト角設定手段
６  歯
８  歯車部材
１０  係止爪（規制手段）
１１  ラチェット機構
α  ピッチ角度（回転角度）
θ  ロフト角
【図１】
0003146393.tif 000003
【図２】
0003146393.tif 000004
【図３】
0003146393.tif 000005